(57)【要約】【課題】映画用銀塩感光材料に光学的手段により画像を記録する画像出力装置を用いて、露光制御値と出力された画像の色との関係の信号変換処理を目的とした三次元ルックアップテーブルの作成において、露光、現像処理工程などの過程で起こる不規則な濃度変動の影響を除去することを目的とする。【解決手段】３次元ルックアップテーブル作成用の露光パターンに中性グレイエリアを配置し、中性グレイエリアの濃度変動量に基づいて、不規則に起こる濃度変動を補正し、色信号変換の再現精度を向上する画像信号変換用３次元ルックアップテーブルの濃度変動除去方法により、上記課題を解決する。【選択図】図７
2010074759.tif 000002
【特許請求の範囲】
【請求項１】
光学的画像露光装置を用いて映写用画像を長尺の映画用フィルムに露光する際に用いられる画像信号変換用３次元ルックアップテーブルに含まれる濃度変動要因を除去するに際し、
前記３次元ルックアップテーブル作成用の複数のカラーパッチと、該複数のカラーパッチに応じてその一部に隣接して配置された中性グレイ濃度部とを有する前記３次元ルックアップテーブル作成用の複数のパターンを、前記光学的画像露光装置によってそれぞれ所定の露光制御値に基づいて、前記映画用フィルムに露光し、その後、現像して発色させ、
現像されて発色した前記映画用フィルムの前記複数のパターンの前記複数のカラーパッチおよび前記中性グレイ濃度部の濃度を測定し、
前記複数のパターンの前記複数のカラーパッチの測定された濃度と、前記複数のパターンの前記複数のカラーパッチの前記露光制御値とを用いて、初期３次元ルックアップテーブルを作成するとともに、
測定された前記複数のパターンの全中性グレイ濃度部の濃度の平均値を算出し、
算出された全中性グレイ濃度部の濃度の平均値と各カラーパッチに隣接して配置された各中性グレイ濃度部の濃度とを用いて、前記初期３次元ルックアップテーブルを補正することを特徴とする画像信号変換用３次元ルックアップテーブルの濃度変動除去方法。
【請求項２】
前記３次元ルックアップテーブルの補正は、
予め、前記光学的画像露光装置によって中性グレイとなるように設定された前記露光制御値を段階的に変化させて作成されたグレイステップの濃度値と、段階的に変化させた前記露光制御値とから１次元ルックアップテーブルを作成しておき、
前記全中性グレイ濃度部の濃度の平均値と、各カラーパッチに隣接して配置された各中性グレイ濃度部の濃度とを、それぞれ前記１次元ルックアップテーブルを用いて、前記露光制御値に変換して、その差分を求め、
前記複数のパターンの各カラーパッチの前記露光制御値に前記差分を減じた補正露光制御値を各カラーパッチ毎に求め、
求められた各カラーパッチの前記補正露光制御値から前記初期３次元ルックアップテーブルを介して、各カラーパッチの補正濃度値を求め、
求められた各カラーパッチの前記補正濃度値を前記初期３次元ルックアップテーブルの濃度値に置換して濃度補正を行うものである請求項１に記載の画像信号変換用３次元ルックアップテーブルの濃度変動除去方法。
【請求項３】
前記映画用フィルムは、映画撮影用ネガフィルム、デジタル記録フィルム、またはインターミディエイトフィルムであり、
前記３次元ルックアップテーブルは、前記光学的画像露光装置によって、前記映画用フィルムに前記映画用画像を露光する際の前記露光制御値と、前記光学的画像露光装置によって前記映画用画像が露光現像された前記映画用フィルムの濃度値との間の変換に用いられるものである請求項１または２に記載の画像信号変換用３次元ルックアップテーブルの濃度変動除去方法。
【請求項４】
前記映画用フィルムは、映画撮影用ネガフィルム、デジタル記録フィルム、またはインターミディエイトフィルム、および映写用ポジフィルムを含み、
前記３次元ルックアップテーブルは、前記光学的画像露光装置によって、前記映画撮影用ネガフィルム、または前記インターミディエイトフィルムに前記映画用画像を露光する際の前記露光制御値と、前記映写用ポジフィルムの濃度値との間の変換に用いられるものであり、
前記映写用ポジフィルムは、前記光学的画像露光装置によって前記映画撮影用画像が露光現像された前記映画撮影用ネガフィルム、デジタル記録フィルム、または前記インターミディエイトフィルムから光学的に露光現像して作製されたものである請求項１または２に記載の画像信号変換用３次元ルックアップテーブルの濃度変動除去方法。
【請求項５】
前記映画用フィルムは、映画撮影用ネガフィルム、デジタル記録フィルム、またはインターミディエイトフィルム、複製された映画用ネガフィルムおよび映画用ポジフィルムを含み、
前記３次元ルックアップテーブルは、前記光学的画像露光装置によって、前記映画撮影用ネガフィルム、デジタル記録フィルム、または前記インターミディエイトフィルムに前記映画用画像を露光する際の前記露光制御値と、前記映写用ポジフィルムの濃度値との間の変換に用いられるものであり、
前記映写用ポジフィルムは、前記光学的画像露光装置によって前記映画用画像が露光現像された前記映画撮影用ネガフィルム、デジタル記録フィルム、または前記インターミディエイトフィルムから作製された複製映画用ネガフィルムから光学的に露光現像して作製されたものである請求項１または２に記載の画像信号変換用３次元ルックアップテーブルの濃度変動除去方法。
【請求項６】
前記中性グレイは、前記カラーパッチの露光時に、露光量を所定の段数に分割したうちの値であり、三色が同じ段数の値で構成されるデータであり、かつ、濃度再現範囲の平均値±２０％以内の値である請求項１〜５のいずれかに記載の画像信号変換用３次元ルックアップテーブルの濃度変動除去方法。
【発明の詳細な説明】
【技術分野】
【０００１】
本発明は、映画システム用の画像の入出力処理に関し、詳しくは、映画システム用画像入出力装置に用いられる画像信号変換用３次元ルックアップテーブルの濃度変動除去方法に関する。
【背景技術】
【０００２】
従来、映画システムによる映写用ポジプリント制作工程においては、撮影・現像済みの映画撮影用ネガフィルムを画像入力装置で読み取り、これをデジタル処理により画像データとして、この画像データに対してデジタル編集を行い、編集後の画像データを露光装置で出力する。
このような画像のデジタル処理や、画像データの編集、露光などを行う場合には、画像データの色を適正に管理するために、画像データに対して、３次元ルックアップテーブルを用いて、色補正が行われる。
【０００３】
色補正に用いられる３次元ルックアップテーブルは、複数の異なる色のカラーパッチからなる露光パターンを露光して、この結果に基づき作製される。
露光パターンは、一般的には、フィルムの１コマに、均一濃度に発色した一色のカラーパッチを割り付けたパターンを複数用いて、異なる複数の色のカラーパッチを露光したパターンが用いられる。例えば、ＲＧＢそれぞれの露光量を１１段階に割振ると、これらの全ての組み合わせとして、１１の３乗＝１３３１色のパターンが用いられる。
【０００４】
映画の場合、標準的なフィルムは、図１３に示すように、コマとコマとの間のスペースも含めて、１コマ分の長さが１９ｍｍとなっている。このため、上述のようにして作製されたカラーパッチを１本のフィルム中に露光すると、フィルムの長さは、１９ｍｍ×１３３１色＝約２５ｍという長さになる。映画フィルム用の画像出力装置では、この約２５ｍのフィルムを露光して、出力信号と、この露光パターンの露光により得られた色との間に３次元ルックアップテーブルが作成され、所望の色から逆変換により出力値を求める方式を用いている。
【０００５】
上述のような、露光パターンを測定した結果には、出力装置、使用フィルム、現像処理、測定装置及び測定誤差などに起因する多くの変動要因が含まれ、実験的に得られるカラーパッチの濃度に濃度変動が加わり、３次元ルックアップテーブルの濃度再現精度を低下させる。
このような３次元ルックアップテーブルの補正方法として、例えば、特許文献１には、画像出力装置で出力された1枚の画像中に発生する再現性のある定常的な濃度変動によるムラを補正する発明が開示されている。特許文献１では、カラーパッチの読み取り結果と、同一サイズの画像で全面に均一な出力制御値で出力された画像に基づき、３次元ルックアップテーブルの補正を行う。これにより、装置固有の特性による定常的なムラの補正をすることができる。
【０００６】
このような方法により露光を行う露光装置では、一般的には、中性グレイ濃度で均一濃度に発色したパッチを露光したパターンが用いられている。
【特許文献１】特開平１１−２６１８３１号公報
【発明の開示】
【発明が解決しようとする課題】
【０００７】
ところで、上述のような、１コマに１色を割り付けた露光パターンによる露光を行う従来の方法では、フィルムが長尺になるため、１本のフィルムの中で、フィルムの長手方向の濃度ムラが発生する。この濃度ムラを放置すると、３次元ルックアップテーブル作成時に、歪みが生じてしまうという問題がある。
このため、フィルムの長さを短くするために、１コマに複数色のカラーパッチの組み合わせを割り当てた露光パターンも使用されている。しかし、その場合であっても、各色のカラーパッチにはある程度の面積が必要であり、また、測定方法の制限や作業性の観点から、一コマに配置する色数には制限があるため、多数のコマに連なるパターンとすることが必要となり、４〜５ｍ程度の長尺なフィルムが必要となる。
【０００８】
また、商業的に管理されている画像出力装置および現像機を用いて作製された動画像を映写した場合の濃度変動による濃度ムラは、視覚的に視認できないか、または許容される範囲内に管理されている。また、濃度変動の周期が長い場合ほど、濃度ムラは視認されにくい。
しかし、このように管理されている露光装置と現像機とを用いて３次元ルックアップテーブルを作成し、これを用いて画像データを変換した場合には、色の不連続点が多数のコマに渡って連続して、同じ位置に色の不連続点として表示されるため、濃度ムラが視認されやすくなる。
【０００９】
本発明の目的は、上記の問題を解決し、銀塩感光材料を用いた映画システムにおいて、上映用映画フィルムの作製工程で３次元ルックアップテーブルを作成する場合に、フィルムの長手方向に生ずる不規則な濃度ムラによる、３次元ルックアップテーブルの歪みを解消する補正方法を提供することにある。
【課題を解決するための手段】
【００１０】
上記課題を解決するために、本発明は、光学的画像露光装置を用いて映写用画像を長尺の映画用フィルムに露光する際に用いられる画像信号変換用３次元ルックアップテーブルに含まれる濃度変動要因を除去するに際し、前記３次元ルックアップテーブル作成用の複数のカラーパッチと、該複数のカラーパッチに応じてその一部に隣接して配置された中性グレイ濃度部とを有する前記３次元ルックアップテーブル作成用の複数のパターンを、前記光学的画像露光装置によってそれぞれ所定の露光制御値に基づいて、前記映画用フィルムに露光し、その後、現像して発色させ、現像されて発色した前記映画用フィルムの前記複数のパターンの前記複数のカラーパッチおよび前記中性グレイ濃度部の濃度を測定し、前記複数のパターンの前記複数のカラーパッチの測定された濃度と、前記複数のパターンの前記複数のカラーパッチの前記露光制御値とを用いて、初期３次元ルックアップテーブルを作成するとともに、測定された前記複数のパターンの全中性グレイ濃度部の濃度の平均値を算出し、算出された全中性グレイ濃度部の濃度の平均値と各カラーパッチに隣接して配置された各中性グレイ濃度部の濃度とを用いて、前記初期３次元ルックアップテーブルを補正することを特徴とする画像信号変換用３次元ルックアップテーブルの濃度変動除去方法を提供する。
【００１１】
また、前記３次元ルックアップテーブルの補正は、予め、前記光学的画像露光装置によって中性グレイとなるように設定された前記露光制御値を段階的に変化させて作製されたグレイステップの濃度値と、段階的に変化させた前記露光制御値とから１次元ルックアップテーブルを作成しておき、前記全中性グレイ濃度部の濃度の平均値と、各カラーパッチに隣接して配置された各中性グレイ濃度部の濃度とを、それぞれ前記１次元ルックアップテーブルを用いて、前記露光制御値に変換して、その差分を求め、前記複数のパターンの各カラーパッチの前記露光制御値に前記差分を減じた補正露光制御値を各カラーパッチ毎に求め、求められた各カラーパッチの前記補正露光制御値から前記初期３次元ルックアップテーブルを介して、各カラーパッチの補正濃度値を求め、求められた各カラーパッチの前記補正濃度値を前記初期３次元ルックアップテーブルの濃度値に置換して濃度補正を行うものであることが好ましい。
【００１２】
さらに、前記映画用フィルムは、映画撮影用ネガフィルム、デジタル記録フィルム、またはインターミディエイトフィルムであり、前記３次元ルックアップテーブルは、前記光学的画像露光装置によって、前記映画用フィルムに前記映画用画像を露光する際の前記露光制御値と、前記光学的画像露光装置によって前記映画用画像が露光現像された前記映画用フィルムの濃度値との間の変換に用いられるものであることが好ましい。
【００１３】
あるいは、前記映画用フィルムは、映画撮影用ネガフィルム、デジタル記録フィルム、またはインターミディエイトフィルム、および映写用ポジフィルムを含み、前記３次元ルックアップテーブルは、前記光学的画像露光装置によって、前記映画撮影用ネガフィルム、デジタル記録フィルム、または前記インターミディエイトフィルムに前記映画用画像を露光する際の前記露光制御値と、前記映写用ポジフィルムの濃度値との間の変換に用いられるものであり、前記映写用ポジフィルムは、前記光学的画像露光装置によって前記映画用画像が露光現像された前記映画撮影用ネガフィルム、デジタル記録フィルム、または前記インターミディエイトフィルムから光学的に露光現像して作製されたものであることが好ましい。
なお、光学的画像露光装置は、図４に示すような面露光方式であることが好ましい。
【００１４】
あるいはまた、前記映画用フィルムは、映画撮影用ネガフィルム、デジタル記録フィルム、またはインターミディエイトフィルム、複製された映画用ネガフィルムおよび映画用ポジフィルムを含み、前記３次元ルックアップテーブルは、前記光学的画像露光装置によって、前記映画撮影用ネガフィルム、デジタル記録フィルム、または前記インターミディエイトフィルムに前記映画用画像を露光する際の前記露光制御値と、前記映写用ポジフィルムの濃度値との間の変換に用いられるものであり、前記映写用ポジフィルムは、前記光学的画像露光装置によって前記映画用画像が露光現像された前記映画撮影用ネガフィルムデジタル記録フィルム、または前記インターミディエイトフィルムから作製された複製映画用ネガフィルムから光学的に露光現像して作製されたものであることが好ましい。
【００１５】
さらに、前記中性グレイは、前記カラーパッチの露光時に、露光量を所定の段数に分割したうちの値であり、三色が同じ段数の値で構成されるデータであり、かつ、濃度再現範囲の平均値±２０％以内であることが好ましい。
【発明の効果】
【００１６】
本発明によれば、上記構成により、銀塩感光材料を用いた映画システムにおいて、露光、現像、および映写用ポジフィルム作製工程において生じる不規則な濃度変動による濃度ムラを補正し、濃度の変動の少なく、濃度値の連続性の良く、精度の良い３次元ルックアップテーブルを作成することができる。
【発明を実施するための最良の形態】
【００１７】
本発明に係る画像信号変換用３次元ルックアップテーブルの濃度変動除去方法について、添付の図面に示す実施形態を基に詳細に説明する。
【００１８】
まず、映画撮影用ネガフィルム、デジタル記録フィルムまたはインターミディエイトフィルムから映写用のポジフィルムを生成するまでの処理について説明する。
図１に、ポジフィルムを生成するための映画システムの一例のブロック図を示す。
ここでいう映画撮影用ネガフィルムとは、例えば、富士フイルム株式会社製ＥＴＥＲＮＡ５００Ｔのようなカメラ撮影で用いられるフィルムであり、デジタル記録フィルムとは、富士フイルム株式会社製ＥＴＥＲＮＡ−ＲＤＩのようなデジタル記録専用フィルムであり、インターミディエイトフィルムとは、富士フィルム株式会社製ＥＴＥＲＵＮＡ−ＣＩのような、面露光方式の露光装置で露光することに最適化したフィルムである。また、映写用ポジフィルムとは、例えば、富士フイルム株式会社製ＥＴＥＲＮＡ  ＰＯＳＩＴＩＶＥ  ＦＩＬＭ  ＴＹＰＥ３５１３ＤＩのような、ネガフィルムから面露光方式の露光装置で露光することに最適化したフィルムである。本実施例においては、前記フィルムを用いるが、本発明においては、上記以外の種々のフィルムについても使用可能である。
【００１９】
図１において、映画システム１０は、読取手段１２、編集手段１４、第１露光手段１６、第１現像手段１８、第２露光手段２０、および第２現像手段２２を有している。
読取手段１２は、撮影済みのネガフィルムを読み取り画像データとする、スキャナなどの読取手段である。
編集手段１４は、読取手段１２によって読み取られた画像データに対して、編集、加工、合成などの処理を施すものである。なお、編集手段１４で行う処理は、ポストプロダクト会社などが担当してもよい。
【００２０】
第１露光手段１６は、編集手段１４において編集を施された画像データを、図３に示すレーザー光を用いた走査露光方式の光学的露光装置を用いて、デジタル記録フィルム、あるいはインターミディエイトフィルムに露光して、ネガフィルムを作製するものである。また、必要に応じて、このネガフィルムから、さらに複製ネガフィルムを作製する。
第１現像手段１８は、第１露光手段１６において露光されたネガフィルムを現像するものである。第１現像手段１８に用いる現像装置には特に限定はないが、本実施例においては、一例として、第１現像手段１８として、(株)大友製作所製シネタイプ現像機FILM speed 100f t/minを用いている。
【００２１】
第２露光手段２０は、これらのネガフィルムまたは複製ネガフィルムから図４に示す面露光方式の光学的露光装置を用いて映写用ポジフィルムに露光することにより、スクリーンに映写するためのポジフィルムを作製するものである。
第２現像手段２２は、第２露光手段２０において面露光されたポジフィルムを現像するものである。第２現像手段２０に用いる現像装置には特に限定はないが、本実施例においては、一例として、第２現像手段２０として、(株)大友製作所製シネタイプ現像機FILM speed 250f t/minを用いている。
【００２２】
次に、本発明の濃度変動除去方法によって作製された３次元ルックアップテーブルを用いて、図１に示す露光装置において、ネガフィルムから映写用のポジフィルムを生成するまでの処理の流れについて図２のフロー図を元に詳述する。
【００２３】
図２は、撮影済みのネガフィルムを露光して現像し、映写用のポジフィルムを作製するまでの過程を示す。
まず、ステップＳ１０において、撮影済みのネガフィルムを、読取手段１２にセットする。ステップＳ１２で、このネガフィルムを読取手段１２において読み取り、デジタル化して、撮影済みのネガフィルムの各コマごとの画像データ（信号値）を得る。なお、この時、得られた各画像データにおける濃度は、撮影済みのネガフィルムを読み取った読取手段１２の装置特性に依存している。
次に、ステップＳ１４において、ステップＳ１２で取得した各コマの信号値を、各コマの画像の基準となる焼き付け濃度（Printing Density）に変換する。後述するステップＳ１８においては、このプリント濃度に基づいて作製した映写用ポジプリントを映写した時の色の見えに変換した後、編集手段１４において、画像の編集、加工、合成などが行われる。
【００２４】
ここで、ステップＳ１４で定めた焼き付け濃度は、上述したように、読取手段１２に依存した濃度であり、また、撮影済みのネガフィルムのフィルム特性に依存したものである。このため、ステップＳ１８において画像の編集や加工、合成を行うためには、ステップＳ１２で得た各コマの信号値を、映写時の色の見えに対応した信号値に変換しておく必要がある。
読取手段１２やネガフィルムの特性に依存した焼き付け濃度を、編集などの処理に対応するデータに変換するため、ステップＳ１６において、第１または第３の３次元ルックアップテーブル（以下、第１ＬＵＴ、第３ＬＵＴという）を用いて、画像データの変換処理を行う。つまり、第１ＬＵＴまたは第３ＬＵＴは、ステップＳ１２において得られた信号値を、読取手段１２やフィルムの特性に依存しない、映写時の色の見えに対応した標準的なデータに変換するためのものである。
【００２５】
ステップＳ１６で第１ＬＵＴまたは第３ＬＵＴによって標準化された画像データは、上述のように、ステップＳ１８で、編集手段１４によって、編集、加工、合成などの必要な処理を施される。なお、上述のように、ステップＳ１８において編集される画像データは、第１ＬＵＴによりポジプリントの濃度に合うように補正されている。
また、ポジプリントを映写した場合の濃度に合うように調整されている画像データを扱う場合には、第３ＬＵＴを用いる。
【００２６】
ステップＳ１８で編集などの処理を施された画像データは、ステップＳ２０において、第１の３次元ルックアップテーブルを介して、第１露光手段１６に送信され、ステップＳ２２で第１露光手段１６の露光制御値に変換される。
ステップＳ２０では、ステップＳ１８において編集などの処理を行った画像データの濃度を、第１露光手段１６に対応する出力値である露光制御値に変えるために、第１または第３の３次元ルックアップテーブル（第１ＬＵＴまたは第３ＬＵＴ）による変換後に、さらに、第２の３次元ルックアップテーブル（第２ＬＵＴ）による変換を行う。これにより、ステップＳ２２で、画像データは第１露光手段１６の露光制御値に変換される。
【００２７】
次に、ステップＳ２４において、第２ＬＵＴにより変換されて得られた露光制御値に基づき、第１露光手段１６においてデジタル記録フィルムまたはインターミディエイトフィルムに露光を行い、ステップＳ２６において、ポジプリント作製に用いるためのネガフィルムを作製する。また、本実施例では、ステップＳ１０においては撮影・現像済みのネガフィルムを用いているが、本発明はこれに限定されず、デジタル記録フィルムあるいはインターミディエイトフィルムに記録された画像を用いてもよい。
ネガフィルムの露光処理が終了すると、ステップＳ２６で、第１現像手段１８においてネガフィルムの現像が完了する。
【００２８】
また、映画システムにおいては、各地の映画館などに配給するため、大量のポジプリントフィルムが必要となることも多い。このため、ポジプリントフィルム作製に用いるネガフィルムについて、複製を作製しておくことが好ましい。
【００２９】
次に、ステップＳ２８で、ポジフィルム作製に用いるネガフィルム、またはその複製ネガフィルムを第２露光手段２０を用いて面露光方式の光学的露光装置で映写用ポジプリントフィルムに露光し、ステップＳ３０において、第２現像手段２２により現像することにより、ステップＳ３２で映写用のポジプリントが完成する。
【００３０】
ここで、本発明の第１露光手段１６における露光の手順について、図３を参照して以下に述べる。
ネガフィルムおよび複製ネガフィルムは、図３に示す露光手段１６のような、面露光方式の光学的露光装置を用いて作製される。
図３において、露光手段１６は、回転ミラー２４、レーザ光源２５、制御部２６、および制御用パソコン２７を備えている。制御用パソコン２７によって、制御部２６が、レーザ光源２５の駆動を制御する。レーザ光源２５から射出したレーザ光は、回転ミラー２４により反射して、フィルム２８上に照射する。露光手段１６では、このようにして、フィルム上をレーザ光線が走査することにより、光学的に露光を行う。
【００３１】
次に、本発明の第２露光手段２０における露光の手順について、図４を参照して以下に述べる。
図４は、露光・現像したネガフィルムから映写用ポジプリントフィルムへの露光を行うための第２露光手段２０の模式図である。図４において、第２露光手段２０は、熱線吸収フィルタ３２、ダイクロックミラー３４ａ〜３４ｄ、ミラー３５ａ〜３５ｂ、ＮＤフィルタ３６ａ〜３６ｃ、スリット３８ａ〜３８ｃ、シャープカットフィルタ４０、および拡散シート４２を有する。
白色光４４は、熱線吸収フィルタ３２を通過し、ダイクロックミラー３４ａおよび３４ｂにおいて、ＲＧＢの３つの成分に分光され、ＮＤフィルタ３６ｂおよびスリット３８ｃ、ＮＤフィルタ３６ａおよびスリット３８ｂ、または、スリット３８ａを、それぞれ通過した後、ダイクロイックミラー３４ｄにおいて再び合波され、ＮＤフィルタ３６ｃおよびシャープカットフィルタ４０を通過する。その後、拡散シート４２において光を拡散させ、フィルム４６の幅に均一に露光できるように光を当て、光源側に発色済みのフィルムになるように露光フィルムと重ね合わせて、発色済みフィルム側から露光を行う。
第２露光手段２０は、このようにして、ＲＧＢの各光量を独立して調整する機構となっている。
【００３２】
図２に基づき上述したように、ネガフィルムから映写用のポジフィルムを生成するまでの処理の過程においては、３次元ルックアップテーブルが用いられる。
【００３３】
ところで、このような処理の過程では、露光装置による露光を行う際に、フィルムが長尺であるゆえに、不規則な濃度変動が発生する。
本発明は、第１〜第３ＬＵＴの３つの３次元ルックアップテーブルの作成時に、この濃度ムラを考慮した補正を行うことで、３次元ルックアップテーブルの精度を向上させ、ポジフィルムの生成処理の過程で生じる濃度ムラを減少、消去するものである。
【００３４】
本発明では、不規則に発生する濃度変動を補正対象としている。不規則に発生する濃度変動は再現性が無いため、周期的な濃度変動を仮定した場合の影響について、目標の色と不規則な濃度変動が加わった場合の色との変動量をシミュレーションで求めた結果を図５および図６に示した。
図５の例は、インターミディエイトフィルム上に焼きつけられた１３３１色のパターンの間にサイン関数に従った２周期の濃度変動を有し、変動幅がインターミディエイトフィルムのプリント濃度で０．１０であり、３色の濃度変動は同等に変化すると仮定した場合について、目標値と、濃度変動後の値とを示したものである。図５では、一例として、１１段階に分割された１３３１色のうち、２、５、８、および１１段目に相当する色の組み合わせの色６４色について比較を行っている。
この濃度変動を含むインターミディエイトフィルムから、図４の光学的露光手段により、ポジプリントフィルムを作成した場合のプリント濃度変動をＬ＊ａ＊ｂ＊色空間上の変化として、図６に示す。図６の矢印は、図５における目標値と濃度変動後の値とを結び、各色の変動量および変動の方向を示している。これによると、座標の近い色、つまり似通った色同士であっても、変動する色の方向が異なっていることが分かる。
なお、上記のシミュレーションで示した濃度変動量は、変化を分かり易くするため、実際よりも大きな変動量を仮定した。実際のポジプリントフィルム上で、許容できないとして判断される濃度変動量は、このシミュレーションの１／５以下の変動量である。
本発明によれば、これらの不規則に発生する濃度変動を補正することができ、かつ、色の連続性の良い３次元変換ルックアップテーブルを作成することができる。
【００３５】
図７を基に、本発明における３次元ルックアップテーブルの作成の手順を述べる。
まず、第１ＬＵＴの作成の手順について述べる。映画撮影用ネガフィルム、デジタル記録フィルムあるいはインターミディエイトフィルムに、第１露光手段１６に示す、レーザー光走査による光学的露光装置を用いて、露光制御値を変えて作製したカラーパッチおよび変動補正用中性グレイを配置した画像（ステップＳ４０）を露光し現像処理後（ステップＳ４２）、第２露光手段２０でポジプリントを作製し（ステップ５０）測色する（ステップＳ５６）。
本実施例では、測色は、ＪＩＳＺ８７２２「物体色の測定方法」に記載される要件を満たした分光濃度計を用いて、３８０〜７８０ｎｍの間を５ｎｍ間隔の分光濃度を測定することにより行い、計算によりステータスＭ濃度を算出する。ステップＳ４０における露光制御値と、上記ステータスＭ濃度（ステップ５６）の間に、第１ＬＵＴを作成する。
この後、中性グレイ部の濃度変動から本発明の変動補正値を求め補正することで、不規則に発生する濃度変動による影響を補正できる。
【００３６】
次に、第２ＬＵＴの作成の手順について述べる。デジタル記録フィルムまたはインターミディエイトフィルムに第１露光手段１６を用いてカラーパッチを露光し（ステップ４２）、現像して得られたネガフィルムを前記分光濃度計で測定し、分光濃度と当社の映写用ポジフィルムの分光感度特性、第２露光手段２０の光源の分光エネルギー特性とから焼き付け濃度（Printing Density）を算出する。
第１露光手段１６の露光制御値とネガフィルムの焼き付け濃度値（ステップＳ４６）との間に３次元ルックアップテーブルを作成する。これが第２ＬＵＴである（ステップＳ４８）。この場合にも、本発明の濃度変動補正方法を適用することができる。
さらに、撮影済みネガフィルムから、第２露光手段２０の面露光方式の光学的露光装置とインターミディエイトフィルムを用いて露光・現像を２回行うことにより複製ネガフィルムを作製し、そのネガフィルムから、第２露光手段２０の面露光方式の光学的露光装置を用いて映写用ポジフィルムに露光し現像することで、映写用ポジプリントを作製することができる。この場合にも本発明の補正方法を適用できる。
また、第３ＬＵＴは、第２露光手段２０で作製された映写用ポジプリントを前記分光濃度計を用いて測定して得られた分光濃度と映写機の光源の分光特性と、人間の視覚の分光感度特性から算出した露光濃度（ステップ５２）と第１露光手段１６の露光制御値（ステップＳ４０）との間に作成した。この場合にも本発明の補正方法を適用できる。
【００３７】
本発明では、上述した３つのパターンにおける濃度変動を補正するために、３次元ルックアップテーブルと濃度変動補正１次元テーブルを用いて、濃度変動を除去するものである。
【００３８】
本発明の３次元ルックアップテーブルの濃度変動除去方法について、以下に詳述する。
本実施例では、フィルムの１コマの中に、複数の色のカラーパッチを割り付けた露光パターンを用いて露光を行い、これに基づき、第１〜第３ＬＵＴの濃度変動の調整を行う。
【００３９】
図８に、３次元ルックアップテーブルの濃度変動除去を行う３次元ルックアップテーブル補正システムの概略図を示す。
３次元ルックアップテーブル補正システム５０は、第１露光手段１６、第１現像手段１８、測定手段５４、演算手段５６、および補正手段５８を有している。
第１露光手段１６および第１現像手段１８は、それぞれ図１に記載されているものと同一のものであり、フィルムに露光パターンを露光し、または現像するものである。
測定手段５４は、現像されたフィルムの各パッチについて、測色を行うものである。測定手段５４は、例えば、分光濃度計や光学的画像入力装置、ステータスＭ濃度計、あるいは映画システム用のスキャナなどである。測定手段５４に用いる装置については特に限定はないが、本実施例においては、JISZ8722「物体の測色法」の「４．２分光測光器」に示す要件を満たす分光濃度計によって、５ｎｍ間隔の分光濃度を測定した。
演算手段５６は、測色の結果と、第１露光手段１６および第１現像手段１８で露光に用いた露光制御値とに基づき、補正量の算出を行うものである。
補正手段５８は、演算手段５６での算出結果を用いて、第１〜第３ＬＵＴの濃度変動の補正を行うものである。
【００４０】
フィルムに露光する露光パターンの一例を図９に示す。
なお、本実施例では、露光制御値の範囲をＲＧＢの各色についてそれぞれＲ１〜Ｒ１２、Ｇ１〜Ｇ１２、およびＢ１〜Ｂ１２に１２分割する。これらの組み合わせにより、１２×１２×１２＝１７２８色を表現することができる。図９に示すカラー露光パターン６０（以下、カラーパターン６０という）は、フィルムのサイズおよび測定器の制約などを考慮し、１コマに１２色のカラーパッチを配置するパターンとして、１７２８色を配置して、計１４４コマの露光パターンを作製するものである。
図９において、カラーパターン６０は、１２色のカラーパッチからなるカラーパッチエリア６２、カラーパッチエリア６２の周辺の、一様に中性グレイが配置された中性グレイエリア６４、および、中性グレイエリア６４上に設定された４つの測定位置６６ａ〜６６ｄを有している。
【００４１】
カラーパッチエリア６２には、横方向に４色、縦方向に３色が配置された計１２色の異なる色のカラーパッチが配置されている。このカラーパッチは、ＲＧＢのうち１色だけの露光制御値を変化させ、残りの２色は固定値とした色となっている。図９に示す露光パターン６０では、一例として、Ｒの露光制御値のみをＲ１〜Ｒ１２まで変化させ、ＧおよびＢの露光制御値は全てＢ７およびＧ７に固定した１２色を配置している。
このように、ＲＧＢのうち１色の露光制御値のみを１２パターンに変化させたカラーパッチエリア６２を、全色について配置し、計１４４コマのカラーパターン６０を作製する。
【００４２】
さらに、このカラーパッチエリア６２の周囲には、中性グレイエリア６４が配置されている。中性グレイエリア６４は、濃度変動補正用の中性グレイに相当する露光制御値となる色が均一に配置されている領域である。
【００４３】
ここで、中性グレイとは、フィルム上での中間濃度を指す。中性グレイは、濃度再現範囲の平均値に近い濃度に設定される。
したがって、例えば、濃度再現範囲の、最大値と最小値との平均値を中性グレイとして定義すればよい。
または、フィルムの未露光部の濃度（ベース濃度）を除いた状態での、露光された色としてのグレイを中性グレイとしてもよい。
また、映画システムでは、一般に、画像をプリントする際に、フィルムの濃度基準値となるグレイが、メーカ推奨値として定義されている。したがって、この値、もしくはその近傍の値を中性グレイとして用いてもよい。
本発明では、前記カラーパッチの露光時に、露光量を所定の段数に分割した値であり、かつ、三色が同じ段数の値で構成されるデータであり、濃度再現範囲の平均値の−２０％以上＋２０％以下であるものを中性グレイと定義する。
また、本実施例においては、一例として、露光制御値の平均値近傍の値として、濃度再現範囲を１２分割した７段階目の値であるＲ７Ｂ７Ｇ７を、中性グレイとして用いる。
【００４４】
測定位置６６ａ〜６６ｄは、図９に示すように、カラーパッチエリア６２の縦方向（フィルムの長手方向）の各列について１つずつ設定される。
一般的に、映画システムで発生しやすい濃度変動による濃度ムラは、フィルムの長手方向（図９の縦方向）に連続する場合が多い。このことから、補正する色に対応する中性グレイの測定位置は、フィルムの幅方向（図９の横方向）からの距離を固定した位置にするのが好ましい。
図９では、フィルムの長手方向と平行に４列のカラーパッチが配置されており、カラーパッチエリア６２上の各パッチに加えて、これらの各列に対応する測定位置６６ａ〜６６ｄの４箇所においても、測定を行い、これらの測定結果に基づき補正を行う。例えば、左列のＲ１、Ｒ５、およびＲ９のカラーパッチの測定結果については、左端の測定位置６６ａにおける測定値を用いて補正を行う。
【００４５】
次に、カラーパターン６０とは異なる露光パターンとして、ＲＧＢの３色の露光制御値を同一にした状態で段階的に変化させた、図１０に示すグレイステップ露光パターン７０（以下、グレイパターン７０という）を作製する。
図１０に示すグレイパターン７０は、４色のグレイパッチ７２ａ〜７２ｄからなるグレイステップエリア７２と、グレイステップエリア７２の周辺の、一様に中性グレイが配置された中性グレイエリア７４とを有している。
【００４６】
図１０では、ＲＧＢの各露光制御値が等しい４色のグレイパッチを配置する。また、これらの４つのパッチは、ＲＧＢの露光制御値が等しく、段階的に露光制御値が変化するものである。つまり、グレイパターン７０は、グレイの濃度が段階的に変化するパターンとなる。
【００４７】
図９に示すカラーパッチの露光パターン６０では、ＲＧＢの露光制御値を１２段階に分割したが、図１０のグレイパターン７０では、さらに細かく分割して、ＲＧＢ各色について３４段階の露光制御値を用意する。つまり、（Ｒ１Ｇ１Ｂ１）〜（Ｒ３４Ｇ３４Ｂ３４）までのグレイパッチを、４つのグレイステップエリア７２にそれぞれ配置していき、計９コマのグレイパターン７０を作製する。
また、グレイパターン７０では、図９の露光パターン６０と同様に、全コマにおいて、中性グレイエリア７４に、中性グレイに相当する露光制御値のパターンを配置した。
【００４８】
以下に、露光パターン６０およびグレイパターン７０を用いた、３次元ルックアップテーブルの濃度変換除去方法について、詳述する。
【００４９】
まず、上述した図９に示すカラーパターン６０および図１０に示すグレイパターン７０について、第１露光手段１６においてフィルムに露光し、第１現像手段１８において現像処理を行う。
現像処理が終了すると、現像された発色フィルムに対して、測定手段５４において、各コマの濃度値の測定を行う。
【００５０】
まず、グレイパターン７０を用いて露光したフィルムの各コマについて、グレイパッチ７２ａ〜７２ｄと、中性グレイエリア７４とにおいて測定を行い、測定されたグレイパッチ７２ａ〜７２ｄの濃度値と、グレイパターン７０の作製時のグレイパッチ７２ａ〜７２ｄの露光制御値との関係に基づき、１次元ルックアップテーブルを作成する。
次に、カラーパターン６０を用いて露光したフィルムの各コマについて、カラーパッチエリア６２の１２個所のパッチと、中性グレイエリア６４上の測定位置６６ａ〜６６ｄの４箇所とを測定する。さらに、カラーパッチエリア６２の１２個所のパッチの濃度値と、カラーパターン６０の作製のカラーパッチエリア６２の１２個所のパッチの露光制御値との関係に基づき、３次元ルックアップテーブルを作成する。
なお、本実施例では、一例として、分光濃度計の測定値から、波長４３５ｎｍ、５４５ｎｍ、および６４５ｎｍの濃度値をカラーパターン６０およびグレイパターン７０における濃度値とする。
【００５１】
さらに、演算手段５６において、全パターンにおける中性グレイエリアの濃度値の平均値（Dr-avr、Dg-avr、Db-avr）を求める。具体的には、全てのカラーパターン６０の測定位置６６ａ〜６６ｄと、全てのグレイパターン７０の中性グレイエリア７４において測定した濃度値の平均値を求める。そして、上述した１次元ルックアップテーブルを用いてこの平均値を露光制御値に変換する。さらに、全てのカラーパターン６０の測定位置６６ａ〜６６ｄの各色の濃度についても、同様に、１次元ルックアップテーブルを用いて露光制御値に変換する。そして、中性グレイの平均値の露光制御値と、各カラーパターン６０の各測定位置６６ａ〜６６ｄにおいて測色した各中性グレイの露光制御値との差分を求める。この差分が、各測定位置における補正露光制御値となる。
【００５２】
ここで、上述した１次元ルックアップテーブルである、グレイパターン７０において測定した濃度値と、露光制御値との関係を示す特性曲線のグラフを作成した。これを、図１１に示す。
図１１のグラフにおいて、縦軸は測定された各グレイパッチ７２の濃度を、横軸は各グレイパッチ７２に対応する露光制御値を、それぞれ示す。
【００５３】
測定を行った全てのカラーパターン６０およびグレイパターン７０について、中性グレイエリアの平均濃度値と、各コマに配置された中性グレイエリアの濃度値について、図１１の特性曲線を用いて、濃度値から露光制御値を求める。そして、各コマに配置された中性グレイエリアの濃度値に対応する露光制御値（Drn、Dgn、Dbn：ｎはコマの番号を示す）と、中性グレイエリアの平均濃度値に対応する露光制御値（Dr-avr、Dg-avr、Db-avr）との差分を、各コマにおける露光補正値（Ecrn、ECgn、ECbn）とする。つまり、各コマにおける露光補正値は、以下の式（１）〜（３）で表すことができる。
ECrn ＝ Drn − Dr-avr・・・（１）
ECbn ＝ Dbn − Db-avr・・・（２）
ECgn ＝ Dgn − Dg-avr・・・（３）
【００５４】
例えば、図１１において、中性グレイエリアにおけるＲの平均濃度値Dr-avrが１．０６７であるとき、これに対応する露光制御値は６１３である。この時、あるカラーパターン６０における測定位置Ａの濃度値Drnが１．２１９であれば、これに対応する露光制御値は７０１である。よって、このコマにおける露光補正値ECrnは、８８となる。
【００５５】
演算手段５６は、こうして算出した露光制御値に対し、対応するコマの変動補正値を加算した後、露光パターン６０に基づき作成した３次元ルックアップテーブルを介して、変動補正値を加算した露光制御値に相当する、補正後の濃度値を求め、これを補正手段５８に送信する。補正手段５８は、受信したデータに基づき、この３次元ルックアップテーブルの該当色の濃度値を置き換えることにより、変動補正を行う。
【００５６】
また、本実施例のカラーパターン６０では、１コマに１２色のカラーパッチを配置しているが、本発明はこれに限定されず、１コマのカラーパッチに割り付ける色の数は１１色以下であっても、１３色以上であってもよい。
例えば、図１２に示すように、１コマのカラーパターン８０に１色のカラーパッチエリア８２を配置し、その周辺に中性グレイエリア８４を設けてもよい。
また、反対に、１コマの中に配置する色パッチの数を増やすことにより、より少ない量のコマ数で露光パターンを作製することができるというメリットもある。
【００５７】
このようにして作成された３次元ルックアップテーブルは、図２における第１〜第３ＬＵＴとして、ポジフィルムの生成処理を行う過程の３箇所において使用される。
【００５８】
第１〜第３ＬＵＴの作成の手順は、上述したように、図７のフロー図を基に行えばよい。
まず、ステップＳ４０で、カラーパターン６０およびグレイパターン７０を用意し、ステップＳ４２で、これらのパターンを露光装置によりネガフィルムに露光する。さらに、ステップＳ４４で、露光したフィルムを測色して、ステップＳ４６において、各パターンのパッチと、中性グレイエリアの焼き付け濃度を得る。
この焼き付け濃度と、カラーパターン６０およびグレイパターン７０の露光制御値とから、ステップＳ４８において、第２ＬＵＴが作成される。
また、ステップＳ４２で露光されたネガフィルムを基に、ステップＳ５０において、ポジフィルムを作製する。さらに、これをステップＳ５２において、スクリーンに映写する。次に、ステップＳ５４において、この、スクリーンに映写された色と、ステップＳ４６で得たプリント濃度との変換を行うための第３ＬＵＴを作成する。
【００５９】
なお、第２ＬＵＴは、映画用の発色ネガフィルムの焼き付け濃度に対して変換を行うものであるが、第１および第３ＬＵＴは、ネガフィルムだけでなく、インターミディエイトフィルムなどの各種のフィルムを処理する場合がある。このような場合でも、同じ３次元ルックアップテーブルにより、処理が可能である。
【００６０】
なお、上述の実施例においては、ネガフィルムから映写用ポジプリントを作製しているが、本発明はこれに限定されず、ネガフィルムなどのアナログ画像だけでなく、デジタル画像から映写用ポジプリントの作製を行う場合にも適用できる。
デジタル画像を基に作製する場合は、読取装置に依存する特性を補正する必要がないため、第１ＬＵＴは必要ない。このため、図２のステップＳ１８において、デジタルの画像データを読取り、その後は、ネガフィルムの場合と同様の処理を行えばよい。
また、本発明で用いる３次元ルックアップテーブルは、映写用ポジプリントの作製過程だけでなく、画像編集ソフトなどにおいて、色管理用のデータとして用いることもできる。
【００６１】
このような本発明によれば、３次元ルックアップテーブルの補正を行う際に、カラーパターンおよびグレイパターンに中性グレイエリアを設け、このエリアについて濃度値を測定し、この平均値に基づき補正を行うことにより、フィルムの長手方向に発生する、不規則な濃度ムラを解消するように、３次元ルックアップテーブルの補正を行うことができる。これにより、映画フィルムの上映時において、色の不連続性によるスクリーンに長手方向の濃度ムラが生じるのを防ぎ、良好な画像を上映することができる。
【００６２】
以上、本発明に係る画像信号変換用３次元ルックアップテーブルの濃度変動除去方法について詳細に説明したが、本発明は、以上の実施形態に限定されるものではなく、本発明の要旨を逸脱しない範囲において、各種の改良や変更を行ってもよい。
【図面の簡単な説明】
【００６３】
【図１】映画システムの装置構成の一例を示すブロック図である。
【図２】映画システムにおける映写用ポジフィルムの作製処理の流れの一例を示す概念図である。
【図３】第１露光手段の一例を示す模式図である。
【図４】第２露光手段の一例を示す模式図である。
【図５】目標の色と不規則な濃度変動が加わった場合の色との変動量をシミュレーションで求めたグラフである。
【図６】図５における変動量を矢印で表したグラフである。
【図７】本発明の３次元ルックアップテーブルの作製方法を示すフロー図である。
【図８】３次元ルックアップテーブル補正システムの装置構成の一例を示すブロック図である。
【図９】本発明の３次元ルックアップテーブルを作製する際に用いるカラーパターンの一例を示す図である。
【図１０】本発明の３次元ルックアップテーブルを作製する際に用いるグレイパターンの一例を示す図である。
【図１１】濃度値と露光制御値との関係の一例を示す特性曲線のグラフ図である。
【図１２】本発明の３次元ルックアップテーブルを作製する際に用いるカラーパターンの他の一例を示す図である。
【図１３】映画システムに用いられるフィルムの一例を示す模式図である。
【符号の説明】
【００６４】
１０  映画システム
１２  読取手段
１４  編集手段
１６  第１露光手段
１８  第１現像手段
２０  第２露光手段
２２  第２現像手段
２４  回転ミラー
２５  レーザ光源
２６  制御部
２７  制御用パソコン
３２  熱線吸収フィルタ
３４ａ、３４ｂ、３４ｃ、３４ｄ、３５ａ、３５ｂ  ミラー
３６ａ、３６ｂ、３６ｃ  ＮＤフィルタ
３８ａ、３８ｂ、３８ｃ  スリット
４０  シャープカットフィルタ
４２  拡散シート
４４  白色光
４６  フィルム
５０  ３次元ルックアップテーブル補正システム
５４  測定手段
５６  演算手段
５８  補正手段
６０、７０、８０  カラーパターン
６２、７２、８２  カラーパッチエリア
６４、７４、８４  中性グレイエリア
６６ａ、６６ｂ、６６ｃ、６６ｄ  測定位置
７０  グレイパターン
７２  グレイステップエリア
【図１】
2010074759.tif 000003
【図２】
2010074759.tif 000004
【図３】
2010074759.tif 000005
【図４】
2010074759.tif 000006
【図５】
2010074759.tif 000007
【図６】
2010074759.tif 000008
【図７】
2010074759.tif 000009
【図８】
2010074759.tif 000010
【図９】
2010074759.tif 000011
【図１０】
2010074759.tif 000012
【図１１】
2010074759.tif 000013
【図１２】
2010074759.tif 000014
【図１３】
2010074759.tif 000015